(57)【特許請求の範囲】
【請求項１】
ウォブルが存在している記録用ディスクとウォブルが存在しない再生専用ディスクとをウォブルの存在の有無で記録用ディスクか再生専用ディスクかを判別すると共に、線速度一定方式に対応の記録用ディスクと再生専用ディスクとの判別を行うディスク判別装置であって、ディスク判別時に光学ヘッドによるトレース位置をディスクの径方向の所定位置に設定し、この所定位置に対応する所定回転数を中心に回転数を変化させてディスクを駆動してウォブルの検出を行い、ウォブルが検出されることで記録用ディスクを判別し、ウォブルが検出されないことで再生専用ディスクを判別するように成したディスク判別装置。
【請求項２】
ディスク判別時におけるディスク回転制御を角速度一定で行うようにし、一定時間毎に１段階ずつ角速度を変化させてディスクの回転数を変化させたことを特徴とする請求項１記載のディスク判別装置。
【発明の詳細な説明】
【０００１】
【発明の属する技術分野】
本発明は、線速度一定方式に対応ディスクの記録用ディスクと再生専用ディスクとを判別するディスク判別装置に関し、特に、記録用ディスクにウォブルが存在していると共に、再生専用ディスクにウォブルが存在しておらず、ウォブルの存在の有無で記録用ディスクと再生専用ディスクとを判別するディスク判別装置に関する。
【０００２】
【従来の技術】
光学ヘッドを用いて光学的に信号の読み取りが行われる光ディスクとしては、ＣＤ（Compact disc）フォーマットに準拠したＣＤ方式が普及しており、このＣＤファミリーのディスク記録再生装置としてはＣＤ−Ｒ（Recordable）装置やＣＤ−ＲＷ（ReWritable）装置が知られている。
【０００３】
これらのディスク記録再生装置においては、記録時と再生時とで使用する光ビーム強度の切り替え、並びに、使用する信号処理系の切り替えを必要とするため、あるいは再生時であっても再生専用ディスクと記録用ディスクとの反射率等の光学特性の相違に対応させて光ビーム強度及び信号ゲインの切り替えを必要とする。
【０００４】
その為、ディスク記録再生装置においては、再生専用ディスクと記録用ディスクとの判別を行うディスク判別装置を備えている。
【０００５】
このようなディスク判別装置としては、記録用ディスクにウォブルが存在していると共に、再生専用ディスクにウォブルが存在しないことに着目し、ウォブルの存在の有無で記録用ディスクか再生専用ディスクかを判別するものが知られている。
【０００６】
【発明が解決しようとする課題】
ところで、線速度一定方式のディスクは径方向の位置に対応して回転数が変化するので、線速度一定方式のディスクに対応するディスク判別装置においては、ディスク判別時に光学ヘッドによるトレース位置をディスクの径方向の所定位置に設定し、この所定位置に対応する所定回転数でディスクを回転させてウォブルを検出していた。
【０００７】
しかしながら、ディスクによって（ＣＤの場合、１．２〜１．４ｍ／秒）線速度に幅を有しており、ディスクの径方向の所定位置であっても回転数に幅があり、また、前記所定位置を設定するためにディスクの最内周にスイッチを取り付けるが、そのスイッチの取付位置精度やメカの負荷のばらつきにより一定位置とするのが困難であり、更に、ウォブルを復調するウォブルデコーダにはウォブル同期信号を抽出するための発振回路を備えているが、この発振回路は温度依存性が顕著であるため、温度変化によってウォブルの復調範囲が変化する問題がある。
【０００８】
その為、光学ヘッドによるトレース位置をディスクの径方向の所定位置に設定し、この所定位置に対応する所定回転数でディスクを回転させてウォブルを検出することでディスク判別を行うようにすると、記録用ディスクであってもウォブルが検出されずに再生専用ディスクとして誤判別されることがあり、ディスク判別の信頼性に乏しいという問題があった。
【０００９】
【課題を解決するための手段】
本発明は、ディスク判別時に光学ヘッドによるトレース位置をディスクの径方向の所定位置に設定し、この所定位置に対応する所定回転数を中心に回転数を変化させてディスクを駆動してウォブルの検出を行う。これによりディスクの回転数が本来の回転数からずれる要因があってもディスクが本来の回転数で回転される期間が発生し、この期間でウォブル検出を行えるようにし、記録用ディスクと再生専用ディスクとの判別精度を向上させている。
【００１０】
【実施例】
図１は、本発明に係るディスク判別装置のＣＤ−Ｒドライブに用いられる一例を示す回路ブロック図である。
【００１１】
図１において、１はディスクＤの信号トラックをトレースするレーザービームを出射し、ディスクＤに対して記録データの書き込み及び読み取りを行う光学ヘッドである。
【００１２】
２は前記光学ヘッド１により得られる受光出力のＲＦ信号（ラジオ周波信号）を増幅し、そのＲＦ信号を２値化するＲＦアンプ、３は光学ヘッド１により得られる各種受光出力をフィードバックし、光学ヘッド１から出射されるレーザービームをディスクＤの信号面に合焦させるフォーカシング制御及び前記レーザービームをディスクＤの信号トラックに追従させるトラッキング制御を行うと共に、光学ヘッド１自体をディスクＤの径方向に送るスレッド送り制御を行うヘッドサーボ回路である。
【００１３】
４はＲＦアンプ２から出力されるＲＦ信号の２値化データをディスクＤの信号フォーマットに対応した復調処理を行うデータ処理回路である。
【００１４】
５はプッシュプル法によりＲＦアンプ２により生成されるプッシュプル信号からディスクＤのプリグルーブ（Pre-groove）に含まれる22.05kHzのウォブル（wobble）を復調し、復調したウォブル信号から時間情報アドレスのＡＴＩＰ（Absolute Time In Pre-groove）アドレスを復調するＡＴＩＰ復調回路６と、そのＡＴＩＰアドレスのＣＲＣ（Cyclic Redundancy Code）による誤り検出を行うＣＲＣチェック回路７とを備えるウォブルデコーダである。
【００１５】
８はディスクＤを回転駆動するスピンドルモータ、９は該スピンドルモータ８の駆動制御を行うモータサーボ回路である。該モータサーボ回路９は、線速度一定で信号記録されたディスクＤを再生する際に線速度一定方式で回転制御することが出来ると共に、スピンドルモータ８の回転に応じたパルス信号を発生する周波数発生器（ＦＧ）１０からのパルス信号を用いて回転数設定手段１１により設定される回転数で角速度一定方式で回転制御可能となっている。ここで、回転数設定手段１１はレジスタ（図示せず）に設定される数値データに応じて回転数が設定されるようになっており、ディスクＤの回転数を変化させる際には前記数値データを変更する。
【００１６】
また、モータサーボ回路９は、ディスクＤの記録時において、ウォブルデコーダ５により復調されるウォブル信号を用いてディスクＤの回転制御を行う。
【００１７】
１２は光学ヘッド１がディスクＤの最内周位置に変位された際に閉じられるスイッチ１３の切り換え状態を検出するスイッチ検出回路、１４はディスク判別の実行を制御すると共に、ウォブルデコーダ５のＣＲＣチェック回路７による誤り検出が正常であることを示すＣＲＣＯＫ信号の有無により記録用ディスク（ＣＤ−ＲあるいはＣＤ−ＲＷディスク）か再生専用ディスク（ＣＤ−ＤＡあるいはＣＤ−ＲＯＭディスク）かを判別するディスク判別回路である。
【００１８】
次に、このように構成されるディスク判別装置において、ディスク判別の実行動作について説明する。
【００１９】
ディスクＤが装着された初期状態において、光学ヘッド１がディスクＤの最内周位置に変位されると、スイッチ検出回路１２によりスイッチ１３が閉じられたことが検出され、ディスク判別回路１４により装着されたディスクＤのディスク判別を実行する制御が行われ、ディスク判別動作が開始される。
【００２０】
ディスク判別動作が開始されると、モータサーボ９は角速度一定方式で回転制御する状態となって、ディスクＤを初期設定回転数によって回転駆動させる。
【００２１】
ここで、光学ヘッド１のトレース位置がディスクの最内周位置である場合、このディスクの最内周位置に対応する所定回転数は、定格速度で略５００回転／分（ｒｐｍ）であるので、本実施例では定格速度の２倍速について説明すると、その所定回転数は略１０００ｒｐｍとなる。
【００２２】
ディスク判別動作の開始によりディスクＤが回転駆動される初期設定回転数は、前記所定回転数の１０００ｒｐｍに対して＋１０％の１１００ｒｐｍに設定されており、ディスクＤをこの初期設定回転数によって回転駆動させるべく回転数設定手段１１のレジスタには１１００ｒｐｍに対応する数値データが設定される。
【００２３】
この回転数設定手段１１のレジスタには、一定時間毎、例えば、０．１秒ごとにディスクＤの回転数を１０ｒｐｍ低下させる数値データが順次設定され、ディスク判別回路１４によりディスク判別が終了されなければ、図２に示す如く、所定回転数の１０００ｒｐｍに対して−１０％の９００ｒｐｍに設定されるまで行われる。
【００２４】
ディスク判別回路１４は、ディスクＤの回転数を１１００ｒｐｍ〜９００ｒｐｍに変化させるまでにウォブルデコーダ５のＣＲＣチェック回路７による誤り検出が正常であることを示すＣＲＣＯＫ信号が所定期間連続して発生されるのを確認すれば、ウォブルが存在するとして記録用ディスクとして判別し、一方、前記ＣＲＣＯＫ信号が所定期間連続して発生されるのが確認されなければ、ウォブルが存在しないとして再生専用ディスクとして判別する。
【００２５】
このようにして、ディスクＤが装着された初期状態時に記録用ディスクと再生専用ディスクとの判別が実行され、この場合、ディスクの線速度の幅、スイッチ１３の取付位置精度や光学ヘッド１の送りメカの負荷のばらつき、及び温度変化による回路特性の変化が発生してディスクＤの回転数が本来の回転数からずれる要因があっても、ディスクが本来の回転数で回転される期間が発生し、この期間でウォブル検出が確実に行えるようになっている。
【００２６】
【発明の効果】
以上の如く、本発明に依れば、ディスクの回転数が本来の回転数からずれる要因があっても、ディスクが本来の回転数で回転される期間が発生し、この期間でウォブル検出が確実に行えるので、記録用ディスクと再生専用ディスクとの判別精度を向上させることが出来る。
【００２７】
ディスク判別時において、一定時間毎に１段階ずつ角速度を変化させてディスクの回転数を変化させているので、モータサーボのゲインを小にして滑らかに回転数を変化させることが出来、ディスク判別精度の点でも有利である。
【図面の簡単な説明】
【図１】本発明に係るディスク判別装置のＣＤ−Ｒドライブに用いられる一例を示す回路ブロック図である。
【図２】ディスク判別時におけるディスク回転数の変化を示す説明図である。
【符号の説明】
１          光学ヘッド
５          ウォブルデコーダ
６          ＡＴＩＰ復調回路
７          ＣＲＣチェック回路
８          スピンドルモータ
９          モータサーボ回路
１１          回転数設定手段
１２          スイッチ検出回路
１４          ディスク判別回路
【図１】
0003831632.tif 000002
【図２】
0003831632.tif 000003